(57)【要約】      （修正有）【課題】操作部が冷蔵庫の稼働中の振動等により位置ずれを起こすことを防いで、ガラス板に操作部を確実に当接させることができ、ガラス板から操作部を操作し易くすることができる冷蔵庫を提供する。【解決手段】冷蔵庫は、扉３の前面に配置されたガラス板１３と、ガラス板１３の後方に設けられて、操作部を収納する収納部３０とを有し、収納部３０内で操作部を前方Ｐに移動させて、ガラス板１３の後面１３Ｎに当接させる一例として移動手段８１，８２を、収納部３０内に備える。【選択図】図５
2020128866.tif 000002
【特許請求の範囲】
【請求項１】
左右の観音扉と、
前記左右の観音扉のうち一方の扉の前面において操作される操作部と、
前記扉に設けられて前記操作部を収納する収納部と、
前記扉の辺部に取り付けられる扉キャップと、
前記扉キャップの一部に設けられて、前記収納部がはめ込まれる開口部と、
前記開口部を閉塞する蓋と、
を備え、
前記開口部および前記蓋は、前記扉の辺部のうち、前記左右の観音扉の内側に位置する辺部に設けられる冷蔵庫。
【発明の詳細な説明】
【技術分野】
【０００１】
本発明の実施の形態は、冷蔵庫に関する。
【背景技術】
【０００２】
従来の冷蔵庫の扉の正面にはガラス板が配置されており、このガラス板の裏面には操作部が設けられている。この操作部は、例えば静電容量型のタッチスイッチの検出部に対応した位置に設けられている。使用者がガラス板から操作部を操作することにより、検出部が操作部の操作を検出して、例えば急冷凍、急冷蔵、自動製氷装置等の機能を動作させることができる。
【０００３】
ガラス板の内側にはケースカバーが配置されており、このケースカバーにはガイド溝が設けられている。このガイド溝は、扉の挿入部から挿入された基板組品を、ケースカバー内にスライドすることで案内する役割を有する。すなわち、基板組品の基板ケースに設けられたスライド部材は、ガイド溝内をスライドさせることで、基板組品をケースカバー内に組み込むようになっている。これにより、基板組品の基板上に位置されている操作部の検出部がガラス板に密着あるいは近接できるようになっている(特許文献１を参照)。
【先行技術文献】
【特許文献】
【０００４】
【特許文献１】特開２０１１−５８７８７号公報
【発明の概要】
【発明が解決しようとする課題】
【０００５】
しかし、上記特許文献１において開示されている技術では、ガイド溝を用いて基板組品をスライドさせてケースカバー内に収納する構造であるので、ガイド溝の精度（個体毎の成形精度、経年変化、取付け精度）によっては、冷蔵庫の稼働中の振動等により、基板組品がケースカバー内で位置ずれを起こすおそれがある。これにより、基板組品がガラス面への密着度合に変化が生じて、表示の見え方にバラツキが生じる可能性がある。
【０００６】
本発明は、上記に鑑みてなされたもので、その目的とするところは、操作部が冷蔵庫の稼働中の振動等により位置ずれを起こすことを防いで、ガラス板に操作部を確実に当接させることができ、ガラス板から操作部を操作し易くすることができる冷蔵庫を提供することにある。
【課題を解決するための手段】
【０００７】
本発明の実施の形態の冷蔵庫は、左右の観音扉と、前記左右の観音扉のうち一方の扉の前面において操作される操作部と、前記扉に設けられて前記操作部を収納する収納部と、前記扉の辺部に取り付けられる扉キャップと、前記扉キャップの一部に設けられて、前記収納部がはめ込まれる開口部と、前記開口部を閉塞する蓋と、を備え、前記開口部および前記蓋は、前記扉の辺部のうち、前記左右の観音扉の内側に位置する辺部に設けられることを特徴とする。
【図面の簡単な説明】
【０００８】
【図１】本発明の実施形態に係わる冷蔵庫の全体を示す斜視図である。
【図２】図１に示す冷蔵庫の観音扉の構造例を示す分解斜視図である。
【図３】図１に示す観音扉のＡ−Ａ線におけるガラス板と、収納ボックスと、操作部を示す断面図である。
【図４】図２と図３に示す操作部の構成例を示す分解斜視図である。
【図５】扉キャップ部材が収納ボックスに挿入される前の状態を示す斜視図である。
【図６】扉キャップ部材が収納ボックスに挿入された後の状態を示す斜視図である。
【図７】図７（Ａ）は、図６に示す収納ボックスと操作部と扉キャップ部材のＢ−Ｂ線における断面図であり、図７（Ｂ）は、図７（Ａ）に示す部分９６を拡大して示す断面図である。
【図８】図８（Ａ）は、図６に示す収納ボックスと操作部と扉キャップ部材のＣ−Ｃ線における断面図であり、図８（Ｂ）は、図８（Ａ）に示す部分９７を拡大して示す断面図であり、図８（Ｃ）は、図８（Ａ）に示す部分９８を拡大して示す断面図である。
【図９】収納ボックスと、操作部と、そして扉キャップ部材の形状例を示す図である。
【発明を実施するための形態】
【０００９】
以下、図面を用いて、本発明の実施するための形態（以下、実施形態と称する）を説明する。
【００１０】
図１は、本発明の実施形態に係わる冷蔵庫の全体を示す斜視図である。
【００１１】
図１に示す冷蔵庫１は、本体２を有している。この本体２の最上部の位置には、両開き式の左右の観音扉３，４で開閉される冷蔵室５が設けられている。これらの観音扉３，４は、それぞれ本体２の回転軸３Ａ，４Ａを中心にして開閉可能に取り付けられている。冷蔵室５の下側には、引出し式扉７ａで開閉される野菜室７が設けられている。この野菜室７の下側には、製氷室８と、上部冷凍室９が横方向に並んで設けられている。製氷室８は引出し式扉８ａで開閉され、上部冷凍室９は引出し式扉９ａで開閉される。本体２の最下部であって、これらの製氷室８と上部冷凍室９の下側には、冷凍室１０が設けられている。
【００１２】
冷凍室１０は引出し式扉１０ａで開閉される。観音扉３，４の下部には、それぞれ指を掛けるための凹状の取っ手３ｂ、４ｂが扉内部に設けられている。引出し式扉７ａ、８ａ、９ａ、１０ａの上部には、それぞれ指を掛けるための凹状の取っ手７ｂ、８ｂ、９ｂ、１０ｂが扉内部に設けられている。
【００１３】
図１に示すように、観音扉３，４の外表面には、ガラス板１３，１４がそれぞれ設けられている。同様にして、引出し式扉７ａの外表面には、ガラス板１７が設けられている。製氷室８と上部冷凍室９と冷凍室１０の外表面には、ガラス板１８，１９，２０がそれぞれ設けられている。これらのガラス板１３，１４，１７，１８，１９，２０は、透明あるいは透光性を有する。
【００１４】
図２は、図１に示す冷蔵庫１の観音扉３の構造例を示す分解斜視図である。
【００１５】
図２に示す観音扉３は、図１において向かって左側の開閉扉である。観音扉３は、ガラス板１３と、上側の扉キャップ２１と、外側の扉キャップ２２と、下側の扉キャップ２３と、内側の扉キャップ２４と、扉内側部材２５と、枠体状の裏側部材２６と、収納部としての収納ボックス３０と、収納ボックス３０内に収納される操作部３１と、そして扉キャップ部材３２等を有している。ガラス板１３は、縦方向に長い長方形状の部材である。
【００１６】
上側の扉キャップ２１と外側の扉キャップ２２と下側の扉キャップ２３と内側の扉キャップ２４は、ガラス板１３の四方の辺部にそれぞれ取り付けられることで、ガラス板１３を保持する枠体を構成している。具体的には、ガラス板１３の上辺部には上側の扉キャップ２１が取り付けられ、ガラス板１３の外辺部には外側の扉キャップ２２が取り付けられ、ガラス板１３の下辺部には下側の扉キャップ２３が取り付けられ、そしてガラス板１３の内辺部には内側の扉キャップ２４が取り付けられる。内側の扉キャップ２４には、縦方向Ｚの中央位置に、縦方向Ｚに長く形成された開口部２４Ｒが設けられている。
【００１７】
図２に示す扉内側部材２５は、ガラス板１３の後面１３Ｎ側に固定される長方形状の部材である。ガラス板１３の後面１３Ｎは、ガラス板１３の内面である。裏側部材２６は、扉内側部材２５を挟んだ状態で、ガラス板１３の後面１３Ｎ側に固定される。収納ボックス３０は、図１にも示すように、ガラス板１３の後面１３Ｎに設けられ、すなわちガラス板１３の後方に設けられる。この収納ボックス３０は、操作部３１を着脱可能に収納するための収納部である。
【００１８】
図３は、図１に示す観音扉３のＡ−Ａ線におけるガラス板１３と、収納ボックス３０と、操作部３１の構造例を示す断面図である。
【００１９】
図３に示すように、収納ボックス３０は、取り付け用の４辺の鍔部３０Ｐと、背面部１００を有している。収納ボックス３０がガラス板１３の後面１３Ｎ側に取り付ける際には、この取り付け用の４辺の鍔部３０Ｐは、ガラス板１３の後面１３Ｎに対して、両面粘着テープ３０Ｓを用いて仮止めされる。その後、観音扉３の図２に示すガラス板１３と扉内側部材２５の間の空間には発砲ポリウレタンを注入することで、収納ボックス３０は、発砲ポリウレタンの接着力および押圧力により、ガラス板１３の後面１３Ｎに対して、接着して固定（押圧）するようになっている。この収納ボックス３０内には、操作部３１が挿入方向Ｔ（図３では、図面垂直下方向）に沿って着脱可能に挿入されることで、操作部３１はガラス板１３の後面１３Ｎ側に押されることで、すなわち観音扉３の後面に密着するようにして当接されている。
【００２０】
図４は、図２と図３に示す操作部３１の構成例を示す分解斜視図である。
【００２１】
図４に示す操作部３１は、プラスチック製の遮蔽板４０と、操作基板４１と、反射板４２と、検出部としての透明電極４３と、操作銘板４４を有している。操作部３１は、縦方向Ｚに長い長方形状の板状の部材である。長方形状の操作基板４１には、照明手段の一例である複数個の発光素子として複数個のＬＥＤ（発光ダイオード）素子４１Ａが，所定のパターンに従って搭載されている。
【００２２】
この操作基板４１には、各ＬＥＤ素子４１Ａを駆動する駆動部と、使用者が触れたかどうかを透明電極４３の静電容量の変化に基づいて判断する判定回路を搭載している。遮蔽板４０は、縦方向Ｔに沿って長い長方形状の部材であり、遮蔽板４０は、操作基板４１の表面上に、重ねて配置される。遮蔽板４０は、複数の円形の凹部４０Ａ、４０Ｂ等を有しており、これらの凹部４０Ａ、４０Ｂは縦方向Ｚに沿って配列されている。
【００２３】
図４に示すように、反射板４２は縦方向Ｚに沿って複数の円形部４２Ａ，４２Ｂを有しており、複数の円形部４２Ａ，４２Ｂは、遮蔽板４０の複数の円形の凹部４０Ａ、４０Ｂに対応して配置される。反射板４２の円形部４２Ａ，４２Ｂは、Ｋ方向に弾性変形可能であることで、ガラス板１３の膨らみに対応して追従して密着できるようになっている。
【００２４】
透明電極４３は、反射板４２を覆うようにして遮蔽板４０の表面上に配置される。操作銘板４４は、縦方向Ｚに長い長方形状の板状の部材であり、透明電極４３を覆うようにして遮蔽板４０の表面上に配置される。操作銘板４４は、図３に示すガラス板１３の後面１３Ｎに密着される部分である。操作銘板４４には、複数の操作機能表示ボタン等の操作表示部９９が例えば印刷により形成されており、操作銘板４４の操作表示部９９は、図３に示すガラス板１３を通じて、使用者に対してクリアに見せることができる。これにより、使用者は、操作銘板４４の操作表示部９９を、ガラス板１３を通じて確認しながら操作することができる。
【００２５】
使用者が図４に示す操作銘板４４の操作表示部９９の任意の部分を、図３のガラス板１３を通じて見ながら、使用者がガラス板１３の外面１３Ｍに指を触れることで、冷蔵庫１の各機能の設定操作をすることができる。例えば、使用者がガラス板１３の外面１３Ｍに指を触れると、図４に示す操作部３１の透明電極４３における静電容量が変化する。この静電容量の変化を、操作基板４１に搭載されている図示しない判定回路が判定する。これにより、どの機能が使用者により指示されたかを判定回路から操作基板４１の制御部に通知されるので、この制御部は、操作された機能を、冷蔵庫１側の本体側制御部に指示する。これにより、使用者は、例えば図１に示す冷蔵室５、野菜室７、製氷室８、上部冷凍室９、そして冷凍室１０の室温を設定したり、急速に冷却する操作を行うことができる。
【００２６】
次に、図５と図６を参照する。図５は、扉キャップ部材３２が収納ボックス３０に挿入される前の状態を示し、図６は、扉キャップ部材３２が収納ボックス３０に挿入された後の状態を示している。
【００２７】
図５から図６に示すように、操作部３１が収納ボックス３０内に挿入方向Ｔに沿って挿入され、しかも扉キャップ部材３２が挿入方向Ｔに沿って収納ボックス３０内に挿入される。これにより、操作部３１はガラス板１３の後面１３Ｎに対して、押圧された状態で当接され、この操作部３１の当接状態を維持できるようになっている。図５に示すように、収納ボックス３０は、４辺の鍔部３０Ｐと、縦方向Ｚに長く形成された側面部７０と、背面部１００を有している。この側面部７０は、縦方向Ｚに長く形成された開口部５０を有している。４辺の鍔部３０Ｐには、すでに説明したように、両面粘着テープ３０Ｓが配置される。これにより、図３に示すように４辺の鍔部３０Ｐがガラス面１３の後面１３Ｎに密着して固定されている。背面部１００は、挿入された操作部３１に対面するように、収納ボックス３０の後ろ側に配置されている。
【００２８】
図５に示すように、収納ボックス３０の側面部７０は、内側の扉キャップ２４の開口部２４Ｒにはめ込まれている。これにより、収納ボックス３０の側面部７０の開口部５０の位置は、内側の扉キャップ２４の開口部２４Ｒの位置に一致しており、側面部７０の開口部５０は、開口部２４Ｒの範囲内にある。これにより、操作部３１は、内側の扉キャップ２４の開口部２４Ｒを通じて、観音扉３のガラス板１３の後面１３Ｎ側において、収納ボックス３０内に差し込んで収容することができ、しかも扉キャップ部材３２は、収納ボックス３０の開口部５０の内部に差し込むことができるようになっている。
【００２９】
次に、図４を参照して、操作部３１の遮蔽板４０の構造をさらに詳しく説明する。
【００３０】
図４に示すように、遮蔽板４０は、縦方向Ｚの挿入先端側の先端側部５１と、反対側の後端側部５２と、上端部５３と、そして下端部５４を有している。遮蔽板４０の先端側部５１には、間隔をおいて例えば３つの挿入部５５，５６，５７を有している。３つの挿入部５５，５６，５７は、操作部３１が収納ボックス３０内に挿入される挿入方向Ｔに沿って突出して設けられている。最も上の挿入部５５は、先端側部５１の上部に設けられ、中間の挿入部５６は、先端側部５１の中間位置に設けられ、そして、最も下の挿入部５７は、先端側部５１の下部に設けられている。また、遮蔽板４０の上端部５３は、第１弾性変形部分６１を有している。同様にして、遮蔽板４０の下端部５４は、第２弾性変形部分６２を有している。
【００３１】
図４に示す挿入部５５，５６，５７は、操作部３１を挿入方向Ｔに沿って収納ボックス３０内に挿入するだけで、後で説明する収納ボックス３０側の一部分の移動手段（後で説明する）との協働により、操作部３１を、ガラス板１３の後面１３Ｎ側に移動して押し付けて密着させる機能を有している。
【００３２】
図４に例示する第１弾性変形部分６１と第２弾性変形部分６２は、上下対称形状になっており、実質的には同じ構造を有している。図４では、第２弾性変形部分６２側が代表して拡大して表示されている。第１弾性変形部分６１は、上端部５３に固定された基端部６３と、基端部６３から湾曲して伸びた自由端部６４を有している。同様にして、第２弾性変形部分６２は、下端部５４に固定された基端部６３と、基端部６３から湾曲して伸びた自由端部６４を有している。第１弾性変形部分６１と第２弾性変形部分６２は、操作部３１をガラス板１３の後面１３Ｎ側へ、すなわち前方Ｐ（押し付け方向）に沿って押し付ける機能を有する。
【００３３】
なお、この前方Ｐは、縦方向Ｚと、挿入方向Ｔとは、互いに直交している。
【００３４】
次に、図５と図６を参照して、収納ボックス３０の構造をさらに詳しく説明する。
【００３５】
図５と図６に示す収納ボックス３０は、図１に示す観音扉３のガラス板１３の後面１３Ｎ側に配置された状態で、操作部３１を収容するための収容部である。収納ボックス３０は、側面部７０と、位置決め用の受け部７１と、４辺の鍔部３０Ｐと、操作部３１を収納するための収納空間７２と、背面部１００を有している。収納ボックス３０の側面部７０は、内側の扉キャップ２４の開口部２４Ｒにはまり込む。
【００３６】
図５に示す位置決め用の受け部７１は、奥側の鍔部３０Ｐの内側において、挿入方向Ｔと反対のＴ１方向に沿って、収容空間７２内で開口部５０側に向けて突出して設けられている。位置決め用の受け部７１は、奥側の鍔部３０Ｐにおいて、縦方向Ｚに関して中間位置にあり、この位置決め用の受け部７１は、挿入部５５，５６，５７の内の挿入部５６を受けて保持する。位置決め用の受け部７１は、操作部３１を挿入方向Ｔに挿入する際に、挿入方向Ｔに沿って進んで来る位置決め手段としての挿入部５６を受けて保持するために、収納ボックス３０内の相対する位置に設けられている。
【００３７】
これにより、収納ボックス３０の収納空間７２内に、操作部３１を挿入方向Ｔに沿って挿入するだけで、位置決め用の受け部７１には挿入部５６が自動的にはまり込む。このため、位置決め用の受け部７１と挿入部５６は、操作部３１が収納ボックス３０の収納空間７２内で縦方向Ｚ（縦方向）に関して動かないように、位置決めする位置決め手段の機能を有する。このため、操作部３１は縦方向Ｚに縦長の形状を有しているのではあるが、収納ボックス３０には位置決め用の受け部７１が設けられていることにより、冷蔵庫１が稼働により振動しても、ガラス板１３の外面１３Ｍの操作箇所と、図４に示す操作部３１の操作銘板４４の操作表示部９９とが、縦方向Ｚの関する相対的な位置ずれを発生させない。
【００３８】
次に、図５を参照して、扉キャップ部材３２の構造について説明する。
【００３９】
図５に示す扉キャップ部材３２は、蓋８０と、２本の移動手段８１，８２と、２本の蓋の抜け防止手段９１，９２および突出部９３を有している。扉キャップ部材３２の蓋８０は、収納ボックス３０の開口部５０を着脱可能に閉塞するために、縦方向Ｚに長く形成された長方形状の部材である。２本の移動手段８１，８２と２本の蓋の抜け防止手段９１，９２および突出部９３は、この蓋８０の内面側から、挿入方向Ｔに沿って平行に間隔をおいて突出して設けられている。
【００４０】
２本の移動手段８１，８２は、長い腕状の部材であり、蓋８０の上端部と下端部にそれぞれ設けられている。２本の蓋の抜け防止手段９１，９２および突出部９３は、２本の移動手段８１，８２の間に、挿入方向に直行する縦方向に対称となるように間隔をおいて設けられている。２本の移動手段８１，８２の挿入方向Ｔの長さは、操作部３１（遮蔽板４０）の挿入先端近傍まで突出しており、裏面側には撓み防止用の補強用リブが形成されている。また２本の蓋の抜け防止手段９１，９２は、２本の移動手段８１，８２の挿入方向Ｔの長さに比べて短く、突出部９３はこれら２本の蓋の抜け防止手段９１，９２の長さよりさらに短く幅広である。
【００４１】
この蓋８０から突出して形成される突出部９３は弓状に前方側に盛り上がっており、図９に示すようにコ字状の切り欠き９３ａがあり、このコ字状の切り欠き９３ａで囲まれた突出片９３ｂは、このコ字状の切り欠き９３ａによって、突出片９３ｂが操作部３１の周縁部分、すなわち遮蔽板４０の後端側部５２を前方に強く押す弾性を有することになる。
【００４２】
これら２本の移動手段８１，８２と２本の蓋の抜け防止手段９１，９２および突出部９３によって、操作部３１をガラス板１３の後面１３Ｎ側に、前方Ｐに沿って強く押し付ける機能を発揮する。
【００４３】
図５に示すように、２本の移動手段８１，８２は、好ましくは挿入方向Ｔに向かって挿入方向Ｔに対して傾斜した弾性変形部分８１Ａ，８２Ａをそれぞれ有している。２本の移動手段８１，８２の弾性変形部分８１Ａ，８２Ａは、図６に示すように、収納ボックス３０の収納空間７２内に挿入方向Ｔに沿って挿入されると、図５に示すＳＲ方向に弾性変形することで、図２の操作部３１をガラス板１３の後面１３Ｎ側に、前方Ｐに沿って押し付ける機能を有する。
【００４４】
また、２本の蓋の抜け防止手段９１，９２は、収納ボックス３０の収納空間７２内に挿入方向Ｔに沿って挿入されると、蓋８０が開口部５０からＴ１方向に抜け出ないようにし、しかも図２の操作部３１をガラス板１３の後面１３Ｎ側に、前方Ｐに沿って押し付ける機能を有する。
【００４５】
次に、図７と図８を参照して、収納ボックス３０の収納空間７２内において、操作部３１をガラス板１３の後面１３Ｎに対して押し付けるための移動手段８１，８２の構造例を説明する。
【００４６】
図７（Ａ）は、図６に示す収納ボックス３０と操作部３１と扉キャップ部材３２のＢ−Ｂ線における断面図である。図７（Ｂ）は、図７（Ａ）に示す部分９５を拡大して示す断面図である。図７（Ｃ）は、図７（Ａ）に示す部分９６を拡大して示す断面図である。図８（Ａ）は、図６に示す収納ボックス３０と操作部３１と扉キャップ部材３２のＣ−Ｃ線における断面図である。図８（Ｂ）は、図８（Ａ）に示す部分９７を拡大して示す断面図である。図８（Ｃ）は、図８（Ａ）に示す部分９８を拡大して示す断面図である。図９は、収納ボックス３０と、操作部３１と、そして扉キャップ部材３２の形状例を示している。
【００４７】
まず、図７（Ａ）と図９に示すように、収納ボックス３０の背面部１００は、収納ボックス３０の側面部７０から奥側の鍔部３０Ｐに至るまで形成されており、挿入方向Ｔに沿って少しずつ先細りになるように傾斜している。すなわち、背面部１００は、収納ボックス３０の開口部５０側から挿入先端側の鍔部３０Ｐにかけて傾斜している。
【００４８】
しかも、図７（Ｂ）と図９に示すように、この背面部１００は、挿入先端側の鍔部３０Ｐ側にさらに段差部分１０１を有している。この段差部分１０１は、背面部１００からさらに狭くなるように形成されており、挿入方向Ｔに沿ってさらに傾斜している。段差部分１０１内には、図６と図９に示す挿入部５５，５６，５７が挿入方向Ｔに沿ってはまり込むようになっている。このように、挿入部５５，５６，５７の傾斜部分１０２が段差部分１０１内にはまり込むことで、段差部分１０１は、操作部３１をガラス板１３の後面１３Ｎに対して、前方Ｐに移動することで押し付けて密着させるようになっている。すなわち、段差部分１０１と挿入部５５，５６，５７は、操作部３１をガラス板１３の後面１３Ｎに対して、前方Ｐに移動することで押し付けて密着させる移動手段２００を構成している。
【００４９】
また、図７（Ａ）と図７（Ｃ）と図９に示すように、扉キャップ部材３２の上側の移動手段８１は、収納空間７２内に挿入し易いように、その先端が傾斜部１０３になっている。図５の状態から図６の状態で示すように、扉キャップ部材３２の移動手段８１が、収納ボックス３０内に挿入方向Ｔに沿って挿入されると、図７（Ｃ）に示すように、移動手段８１の外側部分１０９は、傾斜した背面部１００により前方Ｐに押されて移動される。これにより、移動手段８１自体がＳＲ方向に沿って弾性変形するので、移動手段８１の内側部分１０４は、対応する位置にある第１弾性変形部分６１を前方Ｐに沿って押し付ける。従って、移動手段８１は、第１弾性変形部分６１を用いて、操作部３１をガラス板１３の後面１３Ｎに対して、前方Ｐに移動することで押し付けて密着させるようになっている。このように、移動手段８１だけでなく、収納ボックス３０の背面部１００と操作部３１の第１弾性変形部分６１は、操作部３１をガラス板１３の後面１３Ｎに対して、前方Ｐに移動することで押し付けて密着させる移動手段２５０を構成している。
【００５０】
同様にして、図７（Ａ）と図７（Ｃ）と図９に示すように、扉キャップ部材３２の下側の移動手段８２は、収納空間７２内に挿入し易いように、その先端が傾斜部１０３になっている。図５の状態から図６の状態で示すように、扉キャップ部材３２の移動手段８２が、収納ボックス３０内に挿入方向Ｔに沿って挿入されると、図７（Ｃ）に示すように、移動手段８２の外側部分１０９は、傾斜した背面部１００により前方Ｐに押されて移動される。これにより、移動手段８２自体がＳＲ方向に沿って弾性変形するので、移動手段８２の内側部分１０４は、対応する位置にある第２弾性変形部分６２を前方Ｐに沿って押し付ける。従って、移動手段８２は、第１弾性変形部分６２を用いて、操作部３１をガラス板１３の後面１３Ｎに対して、前方Ｐに移動することで押し付けて密着させるようになっている。このように、移動手段８２だけでなく、収納ボックス３０の背面部１００と操作部３１の第２弾性変形部分６２は、操作部３１をガラス板１３の後面１３Ｎに対して、前方Ｐに移動することで押し付けて密着させる移動手段２５０を構成している。
【００５１】
次に、図８（Ａ）と図９に示すように、収納ボックス３０の背面部１００は、挿入方向Ｔに沿って先細りになるように傾斜している。すなわち、背面部１００は、収納ボックス３０の開口部５０から挿入先端側の鍔部３０Ｐに至るに従って傾斜している。しかも、図７（Ｂ）と図９に示すように、背面部１００は、挿入先端側の鍔部３０Ｐ側には、段差部分１０１を有している。この段差部分１０１は、挿入方向Ｔに沿って傾斜している。段差部分１０１内には、図６に示す挿入部５６が挿入方向Ｔに沿ってはまり込むようになっている。この際に、挿入部５６の傾斜部分１０２が段差部分１０１内にはめ込まれることで、段差部分１０１と挿入部５６は、操作部３１をガラス板１３の後面１３Ｎに対して、前方Ｐに移動させることで押し付けて密着させるようになっている。すなわち、段差部分１０１と挿入部５６は、操作部３１をガラス板１３の後面１３Ｎに対して、前方Ｐに移動することで押し付けて密着させる移動手段２００を構成している。
【００５２】
図８（Ｂ）に例示するように、移動手段８２の外側部分１０９は、傾斜した背面部１００により前方Ｐに移動される。これにより、移動手段８２（８１）の内側部分１０４は、遮蔽版４０の複数の円形の凹部４０Ａを、ガラス板１３の後面１３Ｎ側に、前方Ｐに沿って押し付けられている。これにより、移動手段８２（８１）だけでなく、収納ボックス３０の背面部１００は、操作部３１をガラス板１３の後面１３Ｎに対して、前方Ｐに移動することで押し付けて密着させる移動手段３００を構成している。
【００５３】
さらに、図８（Ｃ）と図９に示すように、図５に示す２本の蓋の抜け防止手段９１，９２が、先端部に抜け止め用の突起部１０５を有している。収納ボックス３０の背面部１００には、開口部５０の付近において、挿入方向Ｔに沿って傾斜した傾斜部１０６を有している。操作部３１が収納ボックス３０内に、挿入方向Ｔに沿って挿入されると、２本の蓋の抜け防止手段９１，９２が、背面部１００の傾斜部１０６により前方Ｐに沿って押される。これにより、操作部３１は、２本の蓋の抜け防止手段９１，９２を介して、ガラス板１３の後面１３Ｎに対して、前方Ｐに沿って押し付けられている。これにより、２本の蓋の抜け防止手段９１，９２と、収納ボックス３０の傾斜部１０６は、操作部３１をガラス板１３の後面１３Ｎに対して、前方Ｐに移動することで押し付けて密着させる移動手段３５０を構成している。
【００５４】
しかも、操作部３１が収納ボックス３０内に完全に収納されると、蓋８０は、図５に示す状態から図６に示すように開口部５０を閉塞するようになっている。この状態では、図８（Ｃ）に示すように、２本の蓋の抜け防止手段９１，９２の抜け止め用の突起部１０５が、収納ボックス３０の傾斜部１０６に形成されている係合突起部１０７にかみ合う。これにより、図１の冷蔵庫１が稼働することで振動しても、操作部３１は、挿入方向Ｔと反対の方向Ｔ１には抜け出ないようにすることができる。これにより、操作部３１は、常にガラス板１３の後面１３Ｎに対して、前方Ｐに移動することで押し付けて密着させる状態を維持することができる。
【００５５】
次に、観音扉３のガラス板１３内に上述した収納部としての収納ボックス３０を取付ける手順と、収納ボックス３０を取り付けた後に収納ボックス３０内に操作部３１を収納する収納動作を説明する。
【００５６】
図２に示す観音扉３のガラス板１３の後面１３Ｎ側には、収納ボックス３０を固定する。すなわち、収納ボックス３０は、ガラス基板１３の後面１３Ｎにおいてガラス基板１３の後方に設けられる。収納ボックス３０を固定する際には、図５に示すように、取り付け用の４辺の鍔部３０Ｐが、ガラス板１３の後面１３Ｎに対して、両面粘着テープ３０Ｓを用いて仮止めされる。その後、観音扉３内に発砲ポリウレタンを注入することで、収納ボックス３０は、発砲ポリウレタンの接着力および押圧力により、ガラス板１３の後面１３Ｎに対して、接着して固定（押圧）する。この状態では、図５に示すように、収納ボックス３０の側面部７０は、内側の扉キャップ２４の開口部２４Ｒに位置されている。
【００５７】
次に、図５に示すように操作部３１が、この収納ボックス３０の収納空間７２内へ、挿入方向Ｔに沿って着脱可能に挿入される。これにより、操作部３１はガラス板１３の後面１３Ｎ側に位置される。このように、操作部３１が収納ボックス３０の収納空間７２内に挿入する動作は、ガイド溝等に依らないいわゆる自由挿入動作である。これにより、図５と図６に示す位置決め用の受け部７１は、挿入部５５，５６，５７の内の挿入部５６を受ける。すなわち、位置決め用の受け部７１は、操作部３１を挿入方向Ｔに挿入する際に、挿入方向Ｔに沿って進んで来る挿入部５６を受ける。
【００５８】
続いて、図５から図６に示すように、扉キャップ部材３２が、収納ボックス３０の開口部５０を通じて収納ボックス３０内に差し込まれる。このように、位置決め用の受け部７１は、操作部３１を挿入方向Ｔに沿って挿入するだけで、操作部３１は、収納ボックス３０の収納空間７２内では、縦方向Ｚ（縦方向）に関して動かないように位置決めできる。このため、操作部３１は、縦方向Ｚに縦長ではあるが、収納ボックス３０には位置決め用の受け部７１が設けられていることにより、冷蔵庫１が稼働により振動しても、ガラス板１３の外面１３Ｍの操作箇所と、操作部３１の操作銘板４４の操作表示部９９が位置ずれを発生させない。
【００５９】
扉キャップ部材３２が、収納ボックス３０の開口部５０を通じて収納ボックス３０内へ、挿入方向Ｔに沿って差し込まれると同時に、図５から図６に示すように、収納ボックス３０の側面部７０の開口部５０は、扉キャップ部材３２の蓋８０により閉塞できる。すなわち、図５に示す扉キャップ部材３２の２本の移動手段８１，８２と２本の蓋の抜け防止手段９１，９２を、図６に示すように収納ボックス３０の収納空間７２内に挿入すると同時に、蓋８０が開口部５０をワンタッチで閉塞できる。これにより、開口部５０を閉じて外観上の見栄えの良くするとともに、開口部５０から外部の塵埃等が収納ボックス３０内に侵入するのを防止できる。
【００６０】
しかも、図５に示す扉キャップ部材３２の２本の移動手段８１，８２と、２本の蓋の抜け防止手段９１，９２を、図６に示すように収納ボックス３０内に挿入すると、図７に示すように、操作部３１は、ガラス板１３の後面１３Ｎ側に押し付けて、操作部３１をガラス板１３の後面１３Ｎに対して密着させることができる。すなわち、図７（Ｂ）に示すように、図６に示す挿入部５５，５６，５７が、段差部分１０１内に挿入方向Ｔに沿ってはまり込む。この際に、挿入部５５，５６，５７の傾斜部分１０２が段差部分１０１内に差し込まれることで、段差部分１０１は、操作部３１をガラス板１３の後面１３Ｎに対して、前方Ｐに押し付けて密着させることができる。
【００６１】
図５から図６に示すように、扉キャップ部材３２の移動手段８１が、収納ボックス３０内に挿入方向Ｔに沿って挿入されると、図７（Ｃ）に示すように、移動手段８１の内側部分１０４は、対応する位置にある第１弾性変形部分６１を前方Ｐに沿って押し付ける。これにより、第１弾性変形部分６１が弾性変形することで、移動手段８１は、第１弾性変形部分６１を用いて、操作部３１をガラス板１３の後面１３Ｎに対して、前方Ｐに押し付けて密着させることができる。
【００６２】
同様にして、図５から図６に示すように、扉キャップ部材３２の移動手段８２が、収納ボックス３０内に挿入方向Ｔに沿って挿入されると、図７（Ｃ）に示すように、移動手段８２の内側部分１０４は、対応する位置にある第２弾性変形部分６２を前方Ｐに沿って押し付ける。これにより、第２性変形部分６２が弾性変形することで、移動手段８２は、第２弾性変形部分６２を用いて、操作部３１をガラス板１３の後面１３Ｎに対して、前方Ｐに押し付けて密着させることができる。
【００６３】
さらに、図５に示す扉キャップ部材３２の２本の移動手段８１，８２と、２本の蓋の抜け防止手段９１，９２を、図６に示すように収納ボックス３０内に挿入することで、図８に示すように、操作部３１は、ガラス板１３の後面１３Ｎ側に押し付けて、操作部３１をガラス板１３の後面１３Ｎに対して密着させることができる。すなわち、段差部分１０１内には、図６に示す挿入部５６が挿入方向Ｔに沿ってはまり込むようになっている。この際に、挿入部５６の傾斜部分１０２が段差部分１０１内に差し込まれることで、段差部分１０１は、操作部３１をガラス板１３の後面１３Ｎに対して、前方Ｐに押し付けて密着させることができる。
【００６４】
図８（Ｃ）に示すように、２本の蓋の抜け防止手段９１，９２が、傾斜部１０６により押されて弾性変形する。これにより、操作部３１は、２本の蓋の抜け防止手段９１，９２を介して、ガラス板１３の後面１３Ｎに対して、前方Ｐに沿って押し付けることができる。
【００６５】
また蓋８０から突出して形成される突出部９３は弓状に前方側に盛り上がっており、コ字状の切り欠き９３ａがあり、このコ字状の切り欠き９３ａで囲まれた突出片９３ｂは弾性を有している。この突出片９３ｂが操作部３１の周縁部分、すなわち遮蔽板４０の後端側部５２を前方に強く押すことができる。
【００６６】
しかも、操作部３１が収納ボックス３０内に完全に収納されると、蓋８０は、図５に示す状態から図６に示すように開口部５０を閉塞する。この状態では、図８（Ｃ）に示すように、２本の蓋の抜け防止手段９１，９２の抜け止め用の突起部１０５が、収納ボックス３０の傾斜部１０６に形成されている係合突起部１０７にかみ合う。これにより、図１の冷蔵庫１が動作により振動しても、操作部３１は、挿入方向Ｔと反対の方向Ｔ１には抜け出ない。
【００６７】
従来の冷蔵庫では、ガイド溝を用いて基板組品をスライドさせてケースカバー内に収納する構造であるので、ガイド溝の精度（個体毎の成形精度、経年変化、取付け精度）によっては、冷蔵庫の稼働中の振動等により、基板組品がケースカバー内で位置ずれを起こすおそれがある。そして、冷蔵庫の稼働中の振動等により、基板組品がガラス面への密着度合に変化が生じて、表示の見え方にバラツキが生じる可能性がある。すなわち、従来の技術では、溝等により基板組品を収納する場合には、溝の精度（個体毎の成形精度、経年変化、取付精度）によって、表示面のガラス面への密着度合に変化が生じ、つまり表示の見え方にバラツキが生じる可能性があった。
【００６８】
これに対して、上述した本発明の実施形態の冷蔵庫１では、冷蔵庫１は、扉３の前面に配置されたガラス板１３と、ガラス板１３の後方に設けられて、操作部３１を収納する収納部３０とを有し、収納部３０内で操作部３１を前方Ｐに移動させて、ガラス板１３の後面１３Ｎに当接させる移動手段としては好ましくは例えば図５と図６に示す移動手段８１，８２（より好ましくは移動手段２００，２５０，３００，３５０）を、収納部３０内に備える。すなわち、この操作部３１は、移動手段により、ガラス板１３の後面１３Ｎに設けられた収納ボックス３０内において、前方Ｐに移動させてガラス板１３の後面１３Ｎに機械的に当接させるようになっている。これにより、操作部３１は、ガラス板１３を通じて、使用者に対してクリアに見せることができ、使用者は、操作部３１を、ガラス板１３を通じて確認しながら操作することができる。すなわち、操作部が冷蔵庫の稼働中の振動等により位置ずれを起こすことを防いで、ガラス板に操作部を確実に当接させることができ、ガラス板から操作部を操作し易くすることができる。本発明の実施形態では、弾性手段により押しつけるようにしていることから(押しつけ量は例えば移動手段８１，８２を受ける弾性手段の構成や、移動手段８１，８２の背面に形成される傾斜面の傾斜角度、長さによって調整が可能)、操作部３１が収納ボックス３０内で、冷蔵庫の稼働中の振動等によって位置ずれする可能性を低くできる。
【００６９】
しかも、上述した本発明の実施形態の冷蔵庫１では、操作部３１が冷蔵庫１の稼働中の振動等により収納ボックス３０内で位置ずれを起こすことを防いで、ガラス板１３に操作部３１を確実に接触させることができる。このため、本発明の実施形態の冷蔵庫１では、冷蔵庫１の稼働中の振動等により、操作部３１がガラス板１３の後面１３Ｎへの密着度合に変化が生じることが無く、表示の見え方にバラツキが生じないので、使用者はガラス板１３から操作部３１を操作し易い。
【００７０】
図５と図６に示すように、操作部３１と収納ボックス３０との間には、移動手段８１，８２が挿入されることで、操作部３１を前方Ｐに移動させることができる。これにより、移動手段８１，８２が挿入されることで、従来収納部に基板組品のガイド溝がついている場合には、基板組品の脱挿入を繰り返すうちにガイド溝が擦れてしまうおそれがあるが、本発明の実施形態の冷蔵庫１では、そのような問題は生じない。
【００７１】
図７と図８に示す移動手段８１，８２、または図７と図８に示す収納ボックス３０の背面部１００と段差部分１０１は、好ましくは操作部３１が収納ボックス３０内に挿入される挿入方向Ｔに向かって傾斜している。これにより、移動手段８１，８２を収納ボックス３０内に挿入することで、操作部３０は徐々にガラス板１３の後面１３Ｎに対して、前方Ｐに移動させることができる。
【００７２】
図７と図８に示す移動手段８１，８２は、好ましくは操作部３１を前方Ｐに移動させることで押圧するための弾性手段（弾性変形部分８１Ａ，８２Ａ）を有する。または、図７と図８に示す収納ボックス３０では、例えば背面部１００と段差部分１０１が、移動手段８１，８２を収納ボックス３０内に挿入することで弾性変形する弾性手段を有するように構成することができる。これにより、移動手段８１，８２、または図７と図８に示す収納ボックス３０の背面部１００と段差部分１０１は、操作部３１を前方Ｐに弾性力を持たせてガラス板１３の後面１３Ｎに対して押圧することができる。このため、操作部３１がガラス板１３の後面１３Ｎに対して押し当てる状態を、長期にわたって安定させることができる。
【００７３】
操作部３１は、縦長であって、移動手段８１，８２が縦方向に複数ある。これにより、操作部３１は縦方向Ｚに沿って縦長であるにもかかわらず、ガラス板１３に反りがあっても、ガラス板１３に沿って操作部３１を当接させて密着させることができる。
【００７４】
図５に示す移動手段８１，８２は、上述したように操作部３１をガラス板１３の後面（裏面）１３Ｎに対して押し付ける機能がある。すなわち、操作部３１の遮蔽板４０の取付け時の上端部と下端部に対応して設けられた移動手段８１，８２の弾性手段によって、移動手段８１，８２を収容ボックス３０内に挿入方向Ｔに沿って差し込むことで、操作部３１をガラス板１３の後面（裏面）１３Ｎに対して移動して押し付けることができる。
【００７５】
少なくとも、収納ボックス３０の背面部１００と移動手段８１，８２の先端の背面のいずれかに傾斜面が設けられていることにより、ガラス板１３の後面（裏面）１３Ｎに固定された収納ボックス３０によって、操作部３１はガラス板１３の後面（裏面）１３Ｎ側に移動して押し付けられる。
【００７６】
図５に示す蓋の抜け防止手段９１，９２は、移動手段８１，８２と同様に、操作部３１をガラス板１３の後面（裏面）１３Ｎに対して移動して押し付ける移動手段としての機能を有するとともに、ガラス板１３の反りの防止手段、そして操作部３１がＴ１方向に抜け出ることを防止する抜け止め手段としての機能も有する。
【００７７】
扉キャップ部材３２の扉３の側方には、収納ボックス３０の開口部５０が形成されていて、扉キャップ部材３２の移動手段８１，８２には、開口部５０を閉塞するための蓋８０が設けられている。これにより、移動手段８１，８２を収納ボックス３０内に挿入する際に、蓋８０は開口部５０を一緒に閉じることができる。しかも、扉キャップ部材３２を収納ボックス３０から外すだけで、収納ボックス３０内での操作部３１の固定状態を解除できる。このため、操作部３１を収納ボックス３０内から取り出して、メンテナンスを行ったり、交換する場合に、その作業を容易に行うことができる。扉キャップ部材３２を収納ボックス３０から外すだけで、収納ボックス３０内での操作部３１の固定が解除される。しかも、操作部３１の操作基板４１の配線(フレキシブルプリント基板)が、開口部５０の近くのみにあるので、操作部３１に対するメンテナンス等が行いやすい。
【００７８】
扉キャップ部材３２の移動手段８１，８２は、蓋８０が開口部５０から外れることを防止する蓋の抜け防止手段９１，９２を有している。これにより、冷蔵庫１の稼働中の振動等により、蓋８０が開口部５０から外れない。
【００７９】
操作部３１は、収納ボックス３０における縦方向Ｚの位置決めをするための位置決め手段としての挿入部５６を有する。これにより、操作部３１は縦方向Ｚに沿って縦長であるにもかかわらず、操作部３１は収納ボックス３０内において、縦方向Ｚに位置決めできるので、操作部３１はガラス板１３の操作箇所に対して位置ずれを起こさない。このため、使用者は冷蔵庫の機能を発揮させようとする押す操作箇所を確実に触れて冷蔵庫の必要とする機能を発揮させることができる。
【００８０】
この位置決め手段は、操作部３１の挿入方向Ｔに、収納ボックス３１の相対する位置にある位置決め用の受け部７１に対して挿入される挿入部５６である。これにより、操作部３１は収納ボックス３０内に挿入方向Ｔに沿って挿入するだけで、操作部３１の縦方向Ｚに関する位置決めを確実に行うことができる。
【００８１】
操作部３１は、支持部としての遮蔽板４０と、遮蔽板４０の前面に位置する検出部としての透明電極４３と、遮蔽板４０の後方に位置する照明手段としてのＬＥＤ素子４１Ａとで構成されている。これにより、操作部３１は複数の部材で構成されてはいるが、簡単に組み立てることができる。
【００８２】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８３】
図示例では、収納ボックス３０と操作部３１は、観音扉３のガラス板１３の内側に配置されているが、これに限らず、ガラス板１４，１７，１８，１９，２０の後面の少なくとも１つに配置しても良い。また、図１に示す冷蔵庫１の構造は、一例であり、任意の構造を採用することができる。
【００８４】
図示した本発明の実施形態では、操作部のタッチスイッチとしては、使用者が指で触れることによる静電容量の変化を検出する静電容量方式を採用しているが、使用者が指で触れることによる電気抵抗の変化を検出する抵抗膜方式等の任意のタッチパネルが利用できる。
【００８５】
扉キャップ部材３２の２本の移動手段８１，８２は、縦方向Ｚに関して間隔をおいて、しかも挿入方向Ｔに沿って形成されているが、これに限らず、３本以上の移動手段を形成するようにしても良い。
【符号の説明】
【００８６】
１      冷蔵庫
２      本体
３      観音扉
４      観音扉
１３    ガラス板
１３Ｎ  ガラス板の後面
３０    収納ボックス（収納部）
３１    操作部
３２    扉キャップ部材
４０    操作部の遮蔽板（操作部の支持部）
４１Ａ  ＬＥＤ素子（照明手段）
４３    透明電極（検出部）
５０    収納ボックスの開口部（収納部の開口部）
５６    挿入部（位置決め手段の一例）
８０    蓋
８１    移動手段
８２    移動手段
９１    蓋の抜け防止手段
９２    蓋の抜け防止手段
９３    突出部
２００  移動手段
２５０  移動手段
３００  移動手段
３５０  移動手段Ｔ      操作部の挿入方向
Ｐ      前方
Ｚ      縦方向
【図１】
2020128866.tif 000003
【図２】
2020128866.tif 000004
【図３】
2020128866.tif 000005
【図４】
2020128866.tif 000006
【図５】
2020128866.tif 000007
【図６】
2020128866.tif 000008
【図７】
2020128866.tif 000009
【図８】
2020128866.tif 000010
【図９】
2020128866.tif 000011